(57)【要約】【課題】封印シールをケース外面に接着した場合に発生し得る封印シールの切断、剥離による不正開封の可能性を排除するために、封印シールを内部に配置するようにした基板保護ケースを提供するものである。【解決手段】制御基板５０を収容する２つのケース片１０、２０を有した基板保護ケース１と、２つのケース片に夫々設けた封印シール保持片１１、２１間に配置され、且つ各封印シール保持片との対向面を各封印シール保持片の内面と接着される封印シール３０と、を備えた。【選択図】図１
2010178997.tif 000002
【特許請求の範囲】
【請求項１】
制御基板を収容する２つのケース片を有した基板保護ケースと、前記２つのケース片に夫々設けた封印シール保持片間に配置され、且つ各封印シール保持片との対向面を各封印シール保持片の内面と接着される封印シールと、を備えたことを特徴とする基板保護ケースの封印構造。
【請求項２】
前記封印シールは、シート基材と、該シート基材の両面に夫々形成された接着層と、を有した両面シールであることを特徴とする請求項１に記載の基板保護ケースの封印構造。
【請求項３】
前記両面シールを構成する各接着層は、各シート基材両面の略全面に亘って形成されていることを特徴とする請求項２に記載の基板保護ケースの封印構造。
【請求項４】
前記各封印シール保持片の内面は、前記両面シールの各接着層と局部的に接着する凸面を備え、前記各封印シール保持片に設けた前記各凸面は各接着層との接着部位が重ならないように位置をずらして形成されていることを特徴とする請求項２、又は３に記載の基板保護ケースの封印構造。
【請求項５】
前記両面シールを構成する各接着層は、各接着層の接着部位が概ね重ならないように位置をずらして部分的に配置されていることを特徴とする請求項２、又は３に記載の基板保護ケースの封印構造。
【請求項６】
前記凸面は、前記各接着層との接着部位が概ね重ならないように交互に縞状、散点状、或いはメッシュ状に位置をずらして配置されていることを特徴とする請求項４に記載の基板保護ケースの封印構造。
【請求項７】
前記各接着層は、前記各封印シール保持片との接着部位が概ね重ならないように交互に縞状、或いはメッシュ状に位置をずらして配置されていることを特徴とする請求項５に記載の基板保護ケースの封印構造。
【請求項８】
前記封印シールは、シート基材と、該シート基材の一面に形成された接着層と、を備え、該封印シールは接着層を有しない他面側を内側として少なくとも一箇所谷折りした状態で前記封印シール保持片間に配置されることを特徴とする請求項１に記載の基板保護ケースの封印構造。
【請求項９】
前記封印シールは、接着シートと、該接着シート面に固定されたＩＣチップ、及び該ＩＣチップから延びる導体パターンを含んだＲＦＩＤと、を有していることを特徴とする請求項１乃至８の何れか一項に記載の基板保護ケースの封印構造。
【請求項１０】
前記各封印シール保持片を離間させることによって前記各凸面、又は前記各接着層に沿って前記封印シールが分断された際に、前記ＲＦＩＤが破断されるように構成したことを特徴とする請求項９に記載の基板保護ケースの封印構造。
【請求項１１】
請求項１乃至１０の何れか一項に記載の基板保護ケースの封印構造を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為によって基板保護ケースが開放された形跡を確実に残して不正行為を発見可能とし、効果的に予防することができる基板保護ケースの封印構造、及び遊技機に関する。特に、保護ケースを封印する封印シールの切断、剥離等の不正操作を防止するために、封印シールを保護ケース内部に配置して外部からの不正操作、不正開封を防止する技術を提供するものである。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が日々巧妙化することにより、結合手段を破壊してＲＯＭを交換した後で、形跡が残らないように新たな結合手段を組み付ける可能性がある。
【０００３】
特許文献２にも不正防止のための装置構成が開示されているが、特許文献１の場合と同様の欠点を有している。
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図１０及び図１１は従来（未公知）の基板保護ケースの構成を示す斜視図、及び分解斜視図である。内部に制御基板１２０を収容した基板保護ケース１００は、透明なケース本体１０１と透明なケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン（アンテナ部）１１４と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナ部１１４から読み取り装置へ送信することにより識別情報を読取ることができる。
【０００５】
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した場合には、後の修復作業によって導体パターンを再導通させることが比較的容易となる。
【０００６】
要するに封印シールが基板保護ケースの外面に接着されている限り、カッタによる切断、剥離液による剥離等による不正行為を確実に防止することができない
一方、封印シールを基板保護ケース内に配置して外部からのアクセスを防止する構造を採用することも考えられるが、例えば封印シールを両ケース片の内壁間、或いは制御基板と一方のケース片の内壁との間に接着することは、組立手順に困難性をもたらすことが明かである。
【先行技術文献】
【特許文献】
【０００７】
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の概要】
【発明が解決しようとする課題】
【０００８】
以上のように、ＲＯＭを搭載した制御基板を収容する基板保護ケースが不正に開放された形跡が残るようにするために、封印シールを基板保護ケースの外面に接着することによって基板保護ケースを封印する方法を採用した場合には、基板保護ケースの開放前に封印シールを剥離したり、或いは形跡が残らないように切断することが可能であった。ＲＦＩＤを備えた封印シールにより基板保護ケースを封印した場合であっても、封印シールが外部に露出している限り、剥離剤を用いて剥離したり、或いはケースの再封止時に通信機能を回復できるように事前に切断しておくことが可能であった。
本発明は上記に鑑みてなされたものであり、封印シールをケース外面に接着した場合に発生し得る封印シールの切断、剥離による不正開封の可能性を排除するために、封印シールを内部に配置するようにした基板保護ケースを提供するものである。しかも、基板保護ケースの組立程において作業性を低下させることなく、ケース内の任意の位置に確実に封印シールを接着することができる基板保護ケースの封印構造を提供するものである。
更に、仮に不正に基板保護ケースを開放した場合には、封印シールが確実に破断して不正行為の形跡を残すようにすることを目的としている。
【課題を解決するための手段】
【０００９】
上記目的を達成するため、請求項１の発明に係る基板保護ケースの封印構造は、制御基板を収容する２つのケース片を有した基板保護ケースと、前記２つのケース片に夫々設けた封印シール保持片間に配置され、且つ各封印シール保持片との対向面を各封印シール保持片の内面と接着される封印シールと、を備えたことを特徴とする。
封印シールを基板保護ケース内部に配置する場合、両ケース片、制御基板、封印シールの４部品をどのような手順で組み付けるかが問題となるが、本発明では、両ケース片から突設した封印シール保持片間に封印シールを挟み込んで接着するようにしたので、組付け手順が極めて簡素化し、各ケース片の構造もシンプル化することができる。
各封印シール保持片に封印シールの両面を接着した状態で挟み込んだので、基板保護ケースを不正に開放して電子部品を交換等する過程で、封印シールを破断させることができる。このため、封印シールが著しく分断されて破損されることとなり、復旧不能となる。
【００１０】
請求項２の発明に係る基板保護ケースの封印構造では、前記封印シールは、シート基材と、該シート基材の両面に夫々形成された接着層と、を有した両面シールであることを特徴とする。
両面シールを用いることにより封印シールを両封印シール保持片間に挟み込んで位置決め、接着することが容易となる。
請求項３の発明に係る基板保護ケースの封印構造では、前記両面シールを構成する各接着層は、各シート基材両面の略全面に亘って形成されていることを特徴とする。
請求項４の発明に係る基板保護ケースの封印構造では、前記各封印シール保持片の内面は、前記両面シールの各接着層と局部的に接着する凸面を備え、前記各封印シール保持片に設けた前記各凸面は各接着層との接着部位が重ならないように位置をずらして形成されていることを特徴とする。
このように構成することにより、両面シールが一方の封印シール保持片と他方の封印シール保持片に接着する部位が重ならないこととなり、両封印シール保持片が分離される際に、両面シールの各接着部位を各封印シール保持片側に分離させることができる。各接着部位が多少重なっていたとしても、開封時に両封印シール保持片に分離させることができる程度であれば差し支えない。
【００１１】
請求項５の発明に係る基板保護ケースの封印構造では、前記両面シールを構成する各接着層は、各接着層の接着部位が概ね重ならないように位置をずらして部分的に配置されていることを特徴とする。
このように構成することにより、両面シールが一方の封印シール保持片と他方の封印シール保持片に接着する部位が重ならないこととなり、両封印シール保持片が分離される際に、両面シールの各接着部位を各封印シール保持片側に分離させることができる。各接着部位が多少重なっていたとしても、開封時に両封印シール保持片に分離させることができる程度であれば差し支えない。
請求項６の発明に係る基板保護ケースの封印構造では、請求項４において、前記凸面は、前記各接着層との接着部位が概ね重ならないように交互に縞状、散点状、或いはメッシュ状に位置をずらして配置されていることを特徴とする。
請求項７の発明に係る基板保護ケースの封印構造では、請求項５において、前記各接着層は、前記各封印シール保持片との接着部位が概ね重ならないように交互に縞状、或いはメッシュ状に位置をずらして配置されていることを特徴とする。
【００１２】
請求項８の発明に係る基板保護ケースの封印構造では、前記封印シールは、シート基材と、該シート基材の一面に形成された接着層と、を備え、該封印シールは接着層を有しない他面側を内側として少なくとも一箇所谷折りした状態で前記封印シール保持片間に配置されることを特徴とする。
請求項９の発明に係る基板保護ケースの封印構造では、前記封印シールは、接着シートと、該接着シート面に固定されたＩＣチップ、及び該ＩＣチップから延びる導体パターンを含んだＲＦＩＤと、を有していることを特徴とする。
請求項１０の発明に係る基板保護ケースの封印構造では、前記各封印シール保持片を離間させることによって前記各凸面、又は前記各接着層に沿って前記封印シールが分断された際に、前記ＲＦＩＤが破断されるように構成したことを特徴とする。
請求項１１の発明に係る遊技機は、請求項１乃至１０の何れか一項に記載の基板保護ケースの封印構造を備えたことを特徴とする。
【発明の効果】
【００１３】
本発明によれば、封印シールを基板保護ケース内（両ケース片に設けた封印シール保持片間）に配置して外部から切断、剥離等の不正操作、開封を行うことができないように構成したので、封印シールに対する不正な細工ができなくなる一方で、基板保護ケースを不正に開放した場合には内部に配置された封印シールが確実に破断、変形、変色などして不正行為の形跡を残すことができる。
特に、２つのケース片の端縁に設けた封印シール保持片間に封印シールを挟持して接着し、封印シールに対して外部からアクセスできないように基板保護ケースを封止する構成を採用したため、基板保護ケースの組立時における封印シール接着作業を容易化、効率化して生産性を高めることができる。
特に、透明なケース片を通して外観上視認しやすい封印シールの特定部位に開放、破断した形跡を明確に残すように構成したので、基板保護ケースを分解したり、読み取り装置を使用せずに外観から不正行為の形跡を確認することが可能となる。従って、ＲＦＩＤを有しないタイプの封印シールを用いた場合にも不正行為を発見することが容易となる。
【図面の簡単な説明】
【００１４】
【図１】本発明の一実施形態に係る封印構造を備えた基板保護ケースの分解斜視図である。
【図２】図１の基板保護ケースの組立状態を示す斜視図である。
【図３】図１の基板保護ケースの正面図である。
【図４】封印シールの構成を示す拡大断面図である。
【図５】（ａ）（ｂ）及び（ｃ）は基板保護ケースの要部構成を示す断面図である。
【図６】（ａ）及び（ｂ）は本発明の第１の変形例に係る封印構造における接着状態及び剥離後の状態を示す断面図であり、（ｃ）及び（ｄ）は各突出片の内側面の構成説明図である。
【図７】（ａ）及び（ｂ）は本発明の他の実施形態に係る封印構造の説明図である。
【図８】（ａ）及び（ｂ）は本発明の他の実施形態に係る封印構造の説明図である。
【図９】本発明の他の実施形態に係る封印シールの構成説明図である。
【図１０】従来の基板保護ケースの構成を示す斜視図である。
【図１１】従来の基板保護ケースの構成を示す分解斜視図である。
【発明を実施するための形態】
【００１５】
以下、本発明を図面に示した実施の形態により詳細に説明する。
図１は本発明の一実施形態に係る封印構造を備えた基板保護ケースの分解斜視図であり、図２はその組立状態を示す斜視図であり、図３はその正面図であり、図４は封印シールの構成を示す拡大断面図であり、図５（ａ）（ｂ）及び（ｃ）は基板保護ケースの要部構成を示す断面図である。
基板保護ケース１は、ＲＯＭを始めとした電子部品を搭載した制御基板（プリント基板）５０を内部に収容した状態でパチンコ遊技機等の遊技機の背面に図示しない台座を介して組み付けられる。
基板保護ケース１は、ＲＯＭを搭載した制御基板（プリント基板）５０を間に挟んだ状態で内部に収容する透明な樹脂製の２つのケース片（下ケース片１０、上ケース片２０）から構成されている。上ケース片２０は制御基板５０を間に挟んで下ケース片１０と嵌合した状態でカシメピン４を用いたカシメ締結部３により下ケース片１０に対して固定される。
【００１６】
基板保護ケース１の端縁に沿った適所には、カシメピン４を用いたカシメ締結部３が配置され、締結穴３ａ内にカシメピン４を打ち込むことにより両ケース片１０、２０は閉止状態でロックされる。締結穴３ａに打ち込まれたカシメピンを除去することによって両ケース片１０、２０は開閉、着脱可能な状態となる。
なお、図示しない台座は、遊技機の背面に対して基板保護ケース１を取り付けるための連結手段であり、下ケース片１０に設けたフック部１０ａを台座に設けた軸部６０に係合させることにより、基板保護ケース１は軸部６０を中心として上下方向へ回動する。即ち、基板保護ケース１の下ケース片１０がこの台座により保持されるため、基板保護ケース１は遊技機側の軸部６０を中心として上下方向へ回動する。
制御基板５０を収容した基板保護ケース１は、下ケース片１０を台座を介してパチンコ遊技機等の遊技盤の背面に添設させた状態で組み付けられるため、遊技盤の背面側から上ケース片２０を通して内部の制御基板面に搭載された電子部品を視認することができる。また、軸部６０を中心として基板保護ケース１を上方に回動させることにより、透明な下ケース片１０の底面から基板保護ケース内部を確認することができる。
【００１７】
上記の如き構成を備えた基板保護ケース１を封印する手段として、封印シール３０が使用される。封印シール３０としては単なるシート状の接着シールであってもよいが、本例ではＲＦＩＤを組み込んだ封印シールを一例として説明する。
封印シール３０は、図１中に示すように一面に接着層を有した紙等の破断し易い材質から成る接着シート３１と、接着シート３１の一面に固定されたＲＦＩＤ（例えば、ＩＣタグ等の非接触型の電波による識別手段）３５と、を備えている。ＲＦＩＤ３５は、電力生成回路、変復調回路、記憶回路、制御回路を含むチップ３６と、チップ３６から反対方向に延びる二本の導体パターン（アンテナ）３７と、を有している。本例の封印シール３０は矩形の接着シート３１の略中心部にチップ３６を配置すると共に、チップ３６から略対角線方向へ向けて各導体パターン３７を引き出している。
図示しない読み取り装置からＲＦＩＤ３５に向けて読み取り用の電磁波を照射すると、アンテナ部としての導体パターン３７が電磁波を受信し、チップ３６に電磁波を供給する。この電磁波によりチップ３６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
【００１８】
ＲＦＩＤを構成する線状の導体パターン３７は接着シート３１の略対角線方向へ延びており、上ケース片と制御基板を離間させた際に導体パターン３７が破断するように封印シール３０を接着しておくことにより、基板保護ケースが不正に開放されて上ケース片と制御基板とが分離された場合に導体パターンの一部が断線して記憶情報の読み出しを不可能とすることができる。
本実施形態に係る封印シール３０を構成する接着シート３１は、図４に示すように紙等の破断し易い材料からなるシート基材４０と、その両面に形成された接着層４１、４２と、から構成されている。要するに本例に係る封印シール３０は、両面接着シールから成る。
【００１９】
図５（ａ）（ｂ）（ｃ）に示したように、基板保護ケース１は、２つのケース片１０、２０に夫々設けた突出片（封印シール保持片）１１、２１間に封印シール３０の両面を接着状態で支持している。封印シール保持片は、各ケース片から突出した突出片である必要はなく、各ケース片に夫々対向させて設けた封印シール接着面であればよい。この事は、以下の全ての実施形態に当てはまる。
本実施形態では、２つのケース片１０、２０の周縁の同一位置に夫々略同一の外形状を有した透明材料から成る突出片１１、２１を突設し、両ケース片の内側面間に封印シールの表裏両面を接着するようにしている。特に本例では、下ケース側の突出片１１の内側面を凹所１１ａとし、上ケース側の突出片２１を凹所１１ａ内に嵌合する板状としているため、突出片同士の面方向への位置ずれが防止される。一方、封印シール３０は両面に接着層４０、４１を有した両面シールであるため、凹所１１ａ内に封印シール３０の一面を接着してから他面に対して突出片２１の内側面を当接させることにより封印シールを介して両突出片１１、２１が接合された状態となる。
【００２０】
突出片１１の凹所１１ａの底面と突出片２１の内側面は何れも平面となっており、各接着層４０、４１は接着シート３１（シート基材４０）の両面全体に渡って形成されているため、両突出片１１、２１は十分な接着力によって接合される。
この突出片１１、２１を無理に剥離した場合、接着層４０、４１の接着力が接着シート３１の保形力よりも十分に強いことを条件に、封印シール３０は破断してバラバラとなり両突出片側に破断した小片（破断片）３０Ａ、３０Ｂが残った状態となる。このため、透明な突出片の外側からも封印シールが破断された状態を目視確認することが可能となる。
即ち、基板保護ケース１を開放して制御基板５０上面の電子部品を露出させるためには両ケース片１０、２０を開放する必要があるが、両ケース片を開放すると、突出片１１、２１間に挟持されて封印されていた封印シール３０は複数の小片３０Ａ、３０Ｂに破断されて、個々の小片は何れかの突出片１１、２１の内面に接着された状態で分離される。このため、接着シート３１と共にＲＦＩＤ３５の一部（チップ部３６や導体パターン３７）が破断（断線）して、ＲＦＩＤの通信機能が喪失される。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００２１】
封印シールとしてＲＦＩＤを備えないタイプを使用した場合であっても封印シールには破断した形跡が残るため、ＲＯＭを交換した後で両ケース片を封止した際に破断した形跡を外観から判断することができる。
或いは、セキュリティーシールとして市販されている改ざん防止シールを封印シールとして用いても良い。このセキュリティーシールは、その両面を両突出片１１、２１の内側面に接着しておくことにより、開封したときに「開封済み」等の文字が出現する構成を備えている。例えば、株式会社日本管理ラベル、サンワサプライ株式会社製のセキュリティーラベルを例示することができる。
なお、カシメ締結部３により基板保護ケースの長手方向一端を締結する一方で、長手方向他端を封印シール３０を用いて接合することにより基板保護ケースの長手方向両端部を締結、接合することが可能となる。
【００２２】
次に、上記実施形態では、両突出片（封印シール保持片）１１、２１の内側面（封印シールとの接着面）が平坦面であり、且つ封印シールの両面全体に接着層が形成されている構成を例示したが、このように構成した場合、何らかの原因で何れか一方の接着層と突出片との接着力が他方の接着層と突出片との接着力よりも低くなっていると、両突出片を剥離した際に封印シール全体が接着力が強い方の接着層側に残ってしまい、破断しなくなる虞がある。封印シールが破断せずに原形をそのまま留めたままで一方の突出片側に接着して剥離されると、不正行為者がＲＯＭを交換した後で両ケース片を再閉止した際に透明な両突出片間に配置された封印シールの状態から不正行為の形跡を判別することが困難となる。
図６乃び図７はこのような不具合を解消するために両突出片（封印シール保持片）の内側面（接着面）の形状を種々工夫した構成例を示す断面図である。
まず、図６（ａ）（ｂ）は第１の変形例に係る封印構造を示す断面図であり、（ａ）は接着状態、（ｂ）は剥離後の状態を示している。更に、図６（ｃ）（ｄ）は各突出片の内側面の構成説明図である。
この封印構造においては、各突出片１１、２１の内面は、両面シールとしての封印シール３０の各接着層４１、４２と局部的に接着する凸面１２、２２を備え、各凸面１２、２２は各接着層４１、４２との接着部位が重ならないように位置をずらして形成されている。
【００２３】
具体的には、各凸面１２、２２は、図６（ｃ）に示すように互いに両面シールとの接着位置が重ならない帯状面から成る縞状の構成としてもよいし、（ｄ）に示すようにメッシュ状としてもよい。
このように両面に接着層４１、４２を有した封印シール３０に対して、突出片１１、２１の内側面に部分的な凸面１２、２２を設けることにより、接着層４１、４２を複数の接着部位に区分けした。このため、両ケース片の開放によって両突出片１１、２１が離間する際に、図６（ｂ）に示したように封印シール３０の各接着層４１、４２は、各凸面１２、２２と接着した小片３０Ａ、３０Ｂに分断され易くなる。従って、不正行為者が両ケース片を不正に開封してＲＯＭを交換した後に再度封止したとしても、管理者は両突出片１１、２１を外部から見た際の封印シールの外観から不正行為の形跡を認識することができる。封印シールがＲＦＩＤを用いたタイプである場合には、ＲＦＩＤが複数箇所で破断されているため、両突出片を再接合することによりＲＦＩＤの機能を復旧させることは困難となる。
【００２４】
本例においては、両面シールを構成する各接着層４１、４２は、各接着層の接着部位が概ね重ならないように位置をずらして部分的に配置されているため、図６（ｂ）に示したように不正開封時に複数の小片３０Ａ、３０Ｂに分離、分断されるが、厳密な意味で凸面１２、２２の位置が互いに重複しないように構成する必要はなく、多少の重複は差し支えない。
或いは、図７（ａ）に示すように一方の突出片２１の内側面を平坦面とする一方で、他方の突出片１１の内側面に凸面１２を設けることにより、両突出片を離間させた際に（ｂ）に示すように封印シールが複数の小片３０Ａ、３０Ｂに分断されるように構成してもよい。
【００２５】
次に、図８（ａ）及び（ｂ）は本発明の変形例の説明図であり、両面シールとしての封印シール３０を構成する各接着層４１、４２は、各接着層の接着部位が概ね重ならないように位置をずらして部分的に配置されている。即ち、各接着層４１、４２は非連続的に配置された複数の接着層部分４１ａ、４２ａから構成されている。各接着層部分４１ａと４１ａとの間、及び各接着層部分４２ａと４２ａとの間には、夫々シート基材４０の非接着面が露出している。
このため、両突出片（封印シール保持片）１１、２１の内側面が平坦面であったとしても、封印シール側の接着層４１、４２が断続的な接着層部分４１ａ、４２ａから構成されているため、両突出片を離間させた際には図８（ｂ）に示すように封印シールは各接着層部分４１ａ、４２ａに相当する部位に分断される。
この接着層部分４１ａ、４２ａは、互いに各突出片１１、２１との接着位置が重ならない帯状面から成る縞状の構成としてもよいし、メッシュ状としてもよい（図６（ｃ）（ｄ）を参照）。
【００２６】
なお、上記各実施形態では、封印シールを両面シールとした例を示したが、例えば図９に示すように、封印シール３０として、シート基材４０と、シート基材の一面に形成された接着層４５とから成る片面シールを用い、この封印シールを、接着層４５を有しない他面側を内側として少なくとも一箇所谷折りした状態で突出片間に配置するようにしてもよい。このように構成すれば、片面シールとしての封印シールを前記各実施形態における両面シールと同様に利用することができる。この場合、両突出片１１、２１を離間させた際に、封印シールの分断がより容易化することはいうまでもない。
図９に係る封印シールは、図５、図６、及び図７の何れの実施形態に係る突出片（封印シール保持片）にも適用できることは言うまでもない。また、同様に図８の実施形態に係る接着層部分４１ａ、４２ａの構成を適用しても良い。
【００２７】
また、封印シールとしてＲＦＩＤを備えたものを使用する場合、図５乃至図７の実施形態における凸面の配置、或いは図８の接着層部分の配置を、各突出片を離間させることによって各凸面、又は各接着層部分に沿って前記封印シールが分断された際に、ＲＦＩＤが集中的に破断されるように構成する。
或いは、封印シールに予めミシン目、切断線等を形成しておけば、これらのミシン目等に沿って封印シールが確実に分断するので、不正行為者が両ケース片を再封止する際に封印シールを修復することが更に困難化する。
以上のように本発明によれば、封印シールを基板保護ケース内に封入して外部に露出しないように構成したので、外部からの操作により封印シールを剥離、切断することができない。一方、透明な基板保護ケースを無理に開放した時には内部に配置された封印シールが確実に破断したり、変形したり、変色（発色）するため、再封止した際にもその形跡が外観上残存するので、不正行為の存在を発見することができる。また、封印シールの破断箇所がケース内部（両突出片間）となるため、不正行為者が封印シールの破断部を修復しつつ再組立てしようとしても修復が困難となる。
【００２８】
また、２つのケース片に設けた封印シール保持片間に封印シールを挟持して接着し、封印シールに対して外部からアクセスできないように基板保護ケースを封止する構成を採用したため、基板保護ケースの組立時における封印シール接着作業を容易化、効率化して生産性を高めることができる。
ＲＦＩＤを組み込んだ封印シールを用いた場合には、封印された基板保護ケースが不正に開放されたことによって封印シールに含まれるＲＦＩＤが破断、断線するので、封印シールを修復しようとしてもＲＦＩＤの通信機能の回復を困難化することができる。
本発明に係る基板保護ケースは、パチンコ遊技機、スロットマシン等の遊技機に装備される制御基板を収容する手段として利用可能である。
【符号の説明】
【００２９】
１…基板保護ケース、３…カシメ締結部、３ａ…締結穴、４…カシメピン、１０…下ケース片、１０ａ…フック部、１１…突出片（封印シール保持片）、１１ａ…凹所、１２、２２…凸面、２０…上ケース片、２１…突出片（封印シール保持片）、３０…封印シール、３０Ａ、３０Ｂ…小片、３１…接着シート、３５…ＲＦＩＤ、３６…チップ、３６…チップ部、３７…導体パターン、４０…シート基材、４０、４１…接着層、４１ａ…接着層部分、４５…接着層、５０…制御基板、６０…軸部
【図１】
2010178997.tif 000003
【図２】
2010178997.tif 000004
【図３】
2010178997.tif 000005
【図４】
2010178997.tif 000006
【図５】
2010178997.tif 000007
【図６】
2010178997.tif 000008
【図７】
2010178997.tif 000009
【図８】
2010178997.tif 000010
【図９】
2010178997.tif 000011
【図１０】
2010178997.tif 000012
【図１１】
2010178997.tif 000013